(57)【要約】【課題】外部録画中の番組の映像を簡単かつ確実に確認できるようにする。【解決手段】  テレビジョン受像機２１から供給される番組の映像データを記録装置２または３が外部録画している場合、２画面表示に切り換えたとき、システムコントローラ６１は、画像処理部６７を制御して、通常表示中に表示していた番組の映像を表示部３１のメイン画面に表示させ、外部録画している番組の映像を表示部３１のサブ画面に表示させる。本発明は、テレビジョン受信装置に適用することができる。【選択図】図２
2006060414.tif 000002
【特許請求の範囲】
【請求項１】
２つ以上のチューナを備え、１つの番組の映像を表示する１画面表示と複数の番組の映像を同時に表示する複数画面表示とを切り換えて表示部に表示させることができる表示制御装置において、
前記チューナにより受信した放送波に基づく映像データを前記表示制御装置に接続されている記録装置に出力する出力手段と、
前記記録装置における前記映像データの録画を制御する録画制御手段と、
前記録画制御手段の制御により前記記録装置が前記映像データを録画している場合、ユーザの操作により前記１画面表示から前記複数画面表示に切り換えたとき、少なくとも前記１画面表示中に表示していた番組の映像と前記記録装置が録画している前記映像データに基づく映像とを同時に表示するように前記表示部の表示を制御する表示制御手段と
を含むことを特徴とする表示制御装置。
【請求項２】
前記表示制御手段は、さらに、前記複数画面表示中に、前記録画制御手段が前記記録装置に前記映像データの録画を開始させた場合、前記表示部に表示されている前記複数の番組の映像のうち１つを前記記録装置が録画している前記映像データに基づく映像に切り換えて表示するように前記表示部の表示を制御する
ことを特徴とする請求項１に記載の表示制御装置。
【請求項３】
前記表示制御手段は、さらに、前記１画面表示中に、前記録画制御手段が前記記録装置に前記映像データの録画を開始させた場合、ユーザによる設定に基づいて、前記１画面表示から前記複数画面表示に切り換えるとともに、少なくとも前記１画面表示中に表示していた番組の映像と前記記録装置が録画している前記映像データに基づく映像とを同時に表示するように前記表示部の表示を制御する
ことを特徴とする請求項１に記載の表示制御装置。
【請求項４】
前記表示制御手段は、さらに、前記複数面表示中に、前記録画制御手段が前記記録装置に前記映像データの録画を終了させた場合、ユーザによる設定に基づいて、前記複数画面表示から前記１画面表示に切り換えるように前記表示部の表示を制御する
ことを特徴とする請求項１に記載の表示制御装置。
【請求項５】
前記記録装置における番組の録画の予約を設定する予約設定手段をさらに含み、
前記出力手段は、前記録画の予約に基づいて、前記番組の映像データを前記記録装置に出力し、
前記録画制御手段は、前記録画の予約に基づいて、前記記録装置における前記番組の映像データの録画を制御する
ことを特徴とする請求項１に記載の表示制御装置。
【請求項６】
２つ以上のチューナを備え、１つの番組の映像を表示する１画面表示と複数の番組の映像を同時に表示する複数画面表示とを切り換えて表示部に表示させることができる表示制御装置の表示制御方法において、
前記チューナにより受信した放送波に基づく映像データを前記表示制御装置に接続されている記録装置に出力し、前記記録装置における前記映像データの録画を制御する録画制御ステップと、
前記録画制御ステップの処理により前記記録装置が前記映像データを録画している場合、ユーザの操作により前記１画面表示から前記複数画面表示に切り換えたとき、少なくとも前記１画面表示中に表示していた番組の映像と前記記録装置が録画している前記映像データに基づく映像とを同時に表示するように前記表示部の表示を制御する表示制御ステップと
を含むことを特徴とする表示制御方法。
【請求項７】
２つ以上のチューナを備え、１つの番組の映像を表示する１画面表示と複数の番組の映像を同時に表示する複数画面表示とを切り換えて表示部に表示させることができる表示制御装置のコンピュータ用のプログラムであって、
前記チューナにより受信した放送波に基づく映像データを前記表示制御装置に接続されている記録装置に出力し、前記記録装置における前記映像データの録画を制御する録画制御ステップと、
前記録画制御ステップの処理により前記記録装置が前記映像データを録画している場合、ユーザの操作により前記１画面表示から前記複数画面表示に切り換えたとき、少なくとも前記１画面表示中に表示していた番組の映像と前記記録装置が録画している前記映像データに基づく映像とを同時に表示するように前記表示部の表示を制御する表示制御ステップと
を含むことを特徴とするコンピュータが読み取り可能なプログラムが記録されている記録媒体。
【請求項８】
２つ以上のチューナを備え、１つの番組の映像を表示する１画面表示と複数の番組の映像を同時に表示する複数画面表示とを切り換えて表示部に表示させることができる表示制御装置のコンピュータに、表示制御処理を行なわせるプログラムにおいて、
前記チューナにより受信した放送波に基づく映像データを前記表示制御装置に接続されている記録装置に出力し、前記記録装置における前記映像データの録画を制御する録画制御ステップと、
前記録画制御ステップの処理により前記記録装置が前記映像データを録画している場合、ユーザの操作により前記１画面表示から前記複数画面表示に切り換えたとき、少なくとも前記１画面表示中に表示していた番組の映像と前記記録装置が録画している前記映像データに基づく映像とを同時に表示するように前記表示部の表示を制御する表示制御ステップと
を含むことを特徴とするプログラム。
【発明の詳細な説明】
【技術分野】
【０００１】
本発明は、表示制御装置および方法、記録媒体、並びにプログラムに関し、外部の記録装置に記録させている番組の映像を簡単かつ確実に確認できるようにした表示制御装置および方法、記録媒体、並びにプログラムに関する。
【背景技術】
【０００２】
近年、２つ以上のチューナを備え、複数の番組を１つの画面に同時に表示することができるテレビジョン受信装置が普及している。これらのテレビジョン受信装置の中には、１つのチューナにより受信した番組を視聴しながら、他のチューナにより受信した番組の映像データを、DVD（Digital Versatile Disk）レコーダやビデオレコーダなどの外部の記録装置に供給すると共に、外部の記録装置を制御して、その番組を外部の記録装置に録画（以下、外部録画と称する）させることができる機能を有するものがある。外部録画機能を有するテレビジョン受信装置によれば、外部の記録装置が、例えば、地上デジタル放送のチューナを有していなくても、テレビジョン受信装置が地上デジタル放送のチューナを有していれば、そのチューナを利用して、地上デジタル放送の番組を外部の記録装置に録画させることができる。
【０００３】
また、外部録画機能を有するテレビジョン受信装置の中には、外部録画する番組を予約（以下、録画予約と称する）して、予約した番組を自動的に外部の記録装置に録画（以下、外部予約録画と称する）させる機能を有するものがある。
【０００４】
ところで、ユーザは、テレビジョン受信装置で番組を視聴中に、他の番組を外部録画している場合、外部録画が確実に行なわれていることを確認するために、外部録画中の番組を画面に表示させることがある。この場合、従来のテレビジョン受信装置では、ユーザは、リモートコントローラなどを操作して、外部の記録装置に出力している映像を表示させるモードにいったん切り換えて、外部録画中の番組の映像を確認した後、再びリモートコントローラなどを操作して、元の番組の表示に戻す必要があり、手間がかかってしまうという課題があった。
【０００５】
この課題を解決するために、所定のキーを押下することにより、外部録画中の番組を所定の時間表示した後、自動的に視聴していた番組の表示に戻すことが提案されている（例えば、特許文献１参照）。
【０００６】
また、外部予約録画開始から数秒間、外部予約録画を開始した番組の映像を表示することが提案されている（例えば、特許文献２参照）。
【特許文献１】特開２００１−２５７９５２号公報
【特許文献２】特開平５−４１８３８号公報
【発明の開示】
【発明が解決しようとする課題】
【０００７】
しかしながら、特許文献１に記載の発明では、視聴中の番組の表示がいったん中断されてしまうという課題があった。また、キーを押下してから、所定の時間しか外部録画している番組の映像を確認できないという課題があった。
【０００８】
また、特許文献２に記載の発明では、外部予約録画中の番組の映像を視聴中の番組の映像に重ねて表示するため、視聴中の番組の映像が見づらくなってしまうという課題があった。また、外部予約録画している番組の映像を表示する時間が録画開始から数秒間に限定されており、任意のタイミングで、外部予約録画している番組の映像を確認することができないという課題があった。
【０００９】
本発明は、このような状況に鑑みてなされたものであり、視聴中の番組の表示を妨げることなく、外部録画中の番組の映像を簡単かつ確実に確認できるようにするものである。
【課題を解決するための手段】
【００１０】
本発明の表示制御装置は、２つ以上のチューナを備え、１つの番組の映像を表示する１画面表示と複数の番組の映像を同時に表示する複数画面表示とを切り換えて表示部に表示させることができる表示制御装置であって、チューナにより受信した放送波に基づく映像データを表示制御装置に接続されている記録装置に出力する出力手段と、記録装置における映像データの録画を制御する録画制御手段と、録画制御手段の制御により記録装置が映像データを録画している場合、ユーザの操作により１画面表示から複数画面表示に切り換えたとき、少なくとも１画面表示中に表示していた番組の映像と記録装置が録画している映像データに基づく映像とを同時に表示するように表示部の表示を制御する表示制御手段とを含むことを特徴とする。
【００１１】
表示制御手段は、さらに、複数画面表示中に、録画制御手段が記録装置に映像データの録画を開始させた場合、表示部に表示されている複数の番組の映像のうち１つを記録装置が録画している映像データに基づく映像に切り換えて表示するように表示部の表示を制御するようにすることができる。
【００１２】
表示制御手段は、さらに、１画面表示中に、録画制御手段が記録装置に映像データの録画を開始させた場合、ユーザによる設定に基づいて、１画面表示から複数画面表示に切り換えるとともに、少なくとも１画面表示中に表示していた番組の映像と記録装置が録画している映像データに基づく映像とを同時に表示するように表示部の表示を制御するようにすることができる。
【００１３】
表示制御手段は、さらに、複数面表示中に、録画制御手段が記録装置に映像データの録画を終了させた場合、ユーザによる設定に基づいて、複数画面表示から１画面表示に切り換えるように表示部の表示を制御するようにすることができる。
【００１４】
記録装置における番組の録画の予約を設定する予約設定手段をさらに設け、出力手段は、録画の予約に基づいて、番組の映像データを記録装置に出力し、録画制御手段は、録画の予約に基づいて、記録装置における番組の映像データの録画を制御するようにすることができる。
【００１５】
本発明の表示制御方法は、２つ以上のチューナを備え、１つの番組の映像を表示する１画面表示と複数の番組の映像を同時に表示する複数画面表示とを切り換えて表示部に表示させることができる表示制御装置の表示制御方法であって、チューナにより受信した放送波に基づく映像データを表示制御装置に接続されている記録装置に出力し、記録装置における映像データの録画を制御する録画制御ステップと、録画制御ステップの処理により記録装置が映像データを録画している場合、ユーザの操作により１画面表示から複数画面表示に切り換えたとき、少なくとも１画面表示中に表示していた番組の映像と記録装置が録画している映像データに基づく映像とを同時に表示するように表示部の表示を制御する表示制御ステップとを含むことを特徴とする。
【００１６】
本発明の記録媒体に記録されているプログラムは、２つ以上のチューナを備え、１つの番組の映像を表示する１画面表示と複数の番組の映像を同時に表示する複数画面表示とを切り換えて表示部に表示させることができる表示制御装置のコンピュータ用のプログラムであって、チューナにより受信した放送波に基づく映像データを表示制御装置に接続されている記録装置に出力し、記録装置における映像データの録画を制御する録画制御ステップと、録画制御ステップの処理により記録装置が映像データを録画している場合、ユーザの操作により１画面表示から複数画面表示に切り換えたとき、少なくとも１画面表示中に表示していた番組の映像と記録装置が録画している映像データに基づく映像とを同時に表示するように表示部の表示を制御する表示制御ステップと含むことを特徴とする。
【００１７】
本発明のプログラムは、２つ以上のチューナを備え、１つの番組の映像を表示する１画面表示と複数の番組の映像を同時に表示する複数画面表示とを切り換えて表示部に表示させることができる表示制御装置のコンピュータに、表示制御処理を行なわせるプログラムであって、チューナにより受信した放送波に基づく映像データを表示制御装置に接続されている記録装置に出力し、記録装置における映像データの録画を制御する録画制御ステップと、録画制御ステップの処理により記録装置が映像データを録画している場合、ユーザの操作により１画面表示から複数画面表示に切り換えたとき、少なくとも１画面表示中に表示していた番組の映像と記録装置が録画している映像データに基づく映像とを同時に表示するように表示部の表示を制御する表示制御ステップとを含むことを特徴とする。
【００１８】
本発明の表示制御装置、表示制御方法、記録媒体、および、プログラムにおいては、チューナにより受信した放送波に基づく映像データが表示制御装置に接続されている記録装置に出力され、記録装置における映像データの録画が制御され、記録装置が映像データを録画している場合、ユーザの操作により１画面表示から複数画面表示に切り換えたとき、少なくとも１画面表示中に表示していた番組の映像と記録装置が録画している映像データに基づく映像とを同時に表示するように表示部の表示が制御される。
【発明の効果】
【００１９】
本発明によれば、記録装置に録画させている映像データに基づく映像を確認することができる。また、本発明によれば、視聴中の番組の表示を妨げることなく、記録装置に録画させている映像データに基づく映像を簡単かつ確実に確認することができる。
【発明を実施するための最良の形態】
【００２０】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２１】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２２】
請求項１に記載の表示制御装置（例えば、図２のデータ処理部５１）は、２つ以上のチューナ（例えば、図２のチューナ６２−１乃至６２−６）を備え、１つの番組の映像（例えば、図６の画面２０１に表示される映像）表示する１画面表示（例えば、通常表示）と複数の番組の映像（例えば、図７のメイン画面２１１およびサブ画面２１２に表示される映像）を同時に表示する複数画面表示（例えば、２画面表示）とを切り換えて表示部（例えば、図２の表示部３１）に表示させることができる表示制御装置であって、前記チューナにより受信した放送波に基づく映像データを前記表示制御装置に接続されている記録装置（例えば、図１の記録装置２または記録装置３）に出力する出力手段（例えば、図２のデジタルインターフェイス部６９またはアナログ信号出力部７０）と、前記記録装置における前記映像データの録画（例えば、外部録画）を制御する録画制御手段（例えば、図3の外部録画制御部８４）と、前記録画制御手段の制御により前記記録装置が前記映像データを録画している場合（例えば、外部録画している場合）、ユーザの操作により前記１画面表示から前記複数画面表示に切り換えたとき、少なくとも前記１画面表示中に表示していた番組の映像と前記記録装置が録画している前記映像データに基づく映像とを同時に表示するように前記表示部の表示を制御する表示制御手段（例えば、図３の表示制御部８３）とを含むことを特徴とする。
【００２３】
請求項２に記載の表示制御装置（例えば、図２のデータ処理部５１）においては、前記表示制御手段は、さらに、前記複数画面表示中に、前記録画制御手段が前記記録装置に前記映像データの録画を開始させた場合、前記表示部に表示されている前記複数の番組の映像のうち１つを前記記録装置が録画している前記映像データに基づく映像に切り換えて表示するように前記表示部の表示を制御することを特徴とする。
【００２４】
請求項３に記載の表示制御装置（例えば、図２のデータ処理部５１）においては、前記表示制御手段は、さらに、前記１画面表示中に、前記録画制御手段が前記記録装置に前記映像データの録画を開始させた場合、ユーザによる設定（例えば、自動録画モニタの設定）に基づいて、前記１画面表示から前記複数画面表示に切り換えるとともに、少なくとも前記１画面表示中に表示していた番組の映像と前記記録装置が録画している前記映像データに基づく映像とを同時に表示するように前記表示部の表示を制御することを特徴とする。
【００２５】
請求項４に記載の表示制御装置（例えば、図２のデータ処理部５１）においては、前記表示制御手段は、さらに、前記複数面表示中に、前記録画制御手段が前記記録装置に前記映像データの録画を終了させた場合、ユーザによる設定（例えば、自動録画モニタの設定）に基づいて、前記複数画面表示から前記１画面表示に切り換えるように前記表示部の表示を制御することを特徴とする。
【００２６】
請求項５に記載の表示制御装置（例えば、図２のデータ処理部５１）においては、前記記録装置における番組の録画の予約（例えば、録画予約）を設定する予約設定手段（例えば、図３の予約管理部８１）をさらに含み、前記出力手段は、前記録画の予約に基づいて、前記番組の映像データを前記記録装置に出力し、前記録画制御手段は、前記録画の予約に基づいて、前記記録装置における前記番組の映像データの録画を制御することを特徴とする。
【００２７】
請求項６に記載の表示制御方法は、２つ以上のチューナ（例えば、図２のチューナ６２−１乃至６２−６）を備え、１つの番組の映像（例えば、図６の画面２０１に表示される映像）表示する１画面表示（例えば、通常表示）と複数の番組の映像（例えば、図７のメイン画面２１１およびサブ画面２１２に表示される映像）を同時に表示する複数画面表示（例えば、２画面表示）とを切り換えて表示部（例えば、図２の表示部３１）に表示させることができる表示制御装置（例えば、図２のデータ処理部５１）の表示制御方法であって、前記チューナにより受信した放送波に基づく映像データを前記表示制御装置に接続されている記録装置（例えば、図１の記録装置２または記録装置３）に出力し、前記記録装置における前記映像データの録画（例えば、外部録画）を制御する録画制御ステップ（例えば、図１２のステップＳ２７）と、前記録画制御ステップの処理により前記記録装置が前記映像データを録画している場合、ユーザの操作により前記１画面表示から前記複数画面表示に切り換えたとき、少なくとも前記１画面表示中に表示していた番組の映像と前記記録装置が録画している前記映像データに基づく映像とを同時に表示するように前記表示部の表示を制御する表示制御ステップ（例えば、図１０のステップＳ５）とを含むことを特徴とする。
【００２８】
請求項７に記載の記録媒体（例えば、図１６のリムーバブルメディア５２１）に記録されているプログラムは、２つ以上のチューナ（例えば、図２のチューナ６２−１乃至６２−６）を備え、１つの番組の映像（例えば、図６の画面２０１に表示される映像）表示する１画面表示（例えば、通常表示）と複数の番組の映像（例えば、図７のメイン画面２１１およびサブ画面２１２に表示される映像）を同時に表示する複数画面表示（例えば、２画面表示）とを切り換えて表示部（例えば、図２の表示部３１）に表示させることができる表示制御装置（例えば、図２のデータ処理部５１）のコンピュータ用のプログラムであって、前記チューナにより受信した放送波に基づく映像データを前記表示制御装置に接続されている記録装置（例えば、図１の記録装置２または記録装置３）に出力し、前記記録装置における前記映像データの録画（例えば、外部録画）を制御する録画制御ステップ（例えば、図１２のステップＳ２７）と、前記録画制御ステップの処理により前記記録装置が前記映像データを録画している場合、ユーザの操作により前記１画面表示から前記複数画面表示に切り換えたとき、少なくとも前記１画面表示中に表示していた番組の映像と前記記録装置が録画している前記映像データに基づく映像とを同時に表示するように前記表示部の表示を制御する表示制御ステップ（例えば、図１０のステップＳ５）とを含むことを特徴とする。
【００２９】
請求項８に記載のプログラムは、２つ以上のチューナ（例えば、図２のチューナ６２−１乃至６２−６）を備え、１つの番組の映像（例えば、図６の画面２０１に表示される映像）表示する１画面表示（例えば、通常表示）と複数の番組の映像（例えば、図７のメイン画面２１１およびサブ画面２１２に表示される映像）を同時に表示する複数画面表示（例えば、２画面表示）とを切り換えて表示部（例えば、図２の表示部３１）に表示させることができる表示制御装置（例えば、図２のデータ処理部５１）のコンピュータに、表示制御処理を行なわせるプログラムであって、前記チューナにより受信した放送波に基づく映像データを前記表示制御装置に接続されている記録装置（例えば、図１の記録装置２または記録装置３）に出力し、前記記録装置における前記映像データの録画（例えば、外部録画）を制御する録画制御ステップ（例えば、図１２のステップＳ２７）と、前記録画制御ステップの処理により前記記録装置が前記映像データを録画している場合、ユーザの操作により前記１画面表示から前記複数画面表示に切り換えたとき、少なくとも前記１画面表示中に表示していた番組の映像と前記記録装置が録画している前記映像データに基づく映像とを同時に表示するように前記表示部の表示を制御する表示制御ステップ（例えば、図１０のステップＳ５）とを含むことを特徴とする。
【００３０】
以下、図を参照して、本発明の実施の形態について説明する。
【００３１】
図１は、本発明を適用したテレビジョン受信システム１の一実施の形態の構成を示す図である。テレビジョン受信システム１は、テレビジョン受信装置１１、地上アナログ放送用のアンテナ１２、地上デジタル放送用のアンテナ１３、および、BS（Broadcasting Satellite）デジタル放送、または、CS（Communication Satellite）デジタル放送用のアンテナ１４により構成される。なお、以下、BSデジタル放送およびCSデジタル放送を総称して、衛星デジタル放送と称する。
【００３２】
テレビジョン受信装置１１は、テレビジョン受像機２１、および、リモートコマンダ２２により構成される。テレビジョン受像機２１は、ケーブルを介して、アンテナ１２乃至１４に接続されている。
【００３３】
テレビジョン受像機２１は、例えば、LCD（Liquid Crystal Display）またはPDP（Plasma Display Panel）などにより構成される表示部３１を備える。テレビジョン受像機２１は、アンテナ１２を介して、地上アナログ放送波を受信し、地上アナログ放送の映像を表示部３１に表示させたり、アンテナ１３を介して、地上デジタル放送波を受信し、地上デジタル放送の映像を表示部３１に表示させたり、アンテナ１４を介して、衛星デジタル放波を受信し、衛星デジタル放送の番組の映像を表示部３１に表示させたりすることができる。
【００３４】
また、テレビジョン受像機２１は、図７を参照して後述するように、表示部３１にメイン画面とサブ画面の２つの画面を同時に表示させることができ、メイン画面とサブ画面にそれぞれ異なるチューナにより受信した番組の映像を表示させることができる。なお、以下、表示部３１にメイン画面およびサブ画面の２画面を表示することを２画面表示と称し、１画面のみの表示することを通常表示と称する。
【００３５】
リモートコマンダ２２は、図５を参照して後述するリモートコマンダ２２に設けられたキーを押下することにより、各キーの押下に対応した赤外線（IR）の信号（以下、操作入力信号と称する）をIR発信部４１から出力する。テレビジョン受像機２１は、IR発信部４１から出力された操作入力信号を、IRインターフェイス（I/F）３２で受信し、操作入力信号に基づいて、ユーザにより指示された処理を行なう。
【００３６】
テレビジョン受像機２１には、例えば、ブルーレイディスクレコーダ、ハードディスクレコーダ、DVDレコーダなどの、デジタルの映像ストリーム（映像データ）や音声ストリーム（音声データ）を記録する記録装置２が必要に応じて接続される。テレビジョン受像機２１は、地上デジタル放送または衛星デジタル放送の番組の映像ストリームおよび音声ストリームを、記録装置２に適宜出力し、記録装置２はその映像ストリームおよび音声ストリームを記録媒体に記録させる。すなわち、テレビジョン受像機２１は、受信した地上デジタル放送または衛星デジタル放送の番組を外部の記録装置２に録画（外部録画）させることができる。
【００３７】
また、テレビジョン受像機２１には、例えば、ビデオレコーダなどアナログの映像信号（映像データ）および音声信号（音声データ）を記録する記録装置３が必要に応じて接続される。テレビジョン受像機２１は、地上アナログ放送、地上デジタル放送、または、衛星デジタル放送の番組の映像信号および音声信号を記録装置３に出力し、記録装置３はその映像信号および音声信号を記録媒体に記録させる。すなわち、テレビジョン受像機２１は、受信した地上アナログ放送、地上デジタル放送、または、衛星デジタル放送の番組を外部の記録装置３に録画（外部録画）させることができる。
【００３８】
図２は、テレビジョン受像機２１の構成の例を示すブロック図である。
【００３９】
テレビジョン受像機２１は、上述した表示部３１およびIRインターフェイス３２に加えて、データ処理部５１、スピーカ５２、および、IRインターフェイス（I/F）５３により構成される。さらに、データ処理部５１は、システムコントローラ６１、チューナ部６２、アナログ信号処理部６３、デスクランブラ６４、デマルチプレクサ６５、デコーダ６６、画像処理部６７、音声切換部６８、デジタルインターフェイス（I/F）部６９、および、アナログ信号出力部７０により構成される。
【００４０】
システムコントローラ６１は、例えば、CPU（Central Processing Unit）、MPU（Micro Processing Unit）、ROM（Read Only Memory）、RAM（Random Access Memory）、不揮発性メモリ（例えば、EEPROM（Electronically Erasable and Programmable Read Only Memory））などからなり、所定のプログラムを実行することにより、IRインターフェイス３２を介して、リモートコマンダ２２から入力された操作入力信号に基づいて、テレビジョン受像機２１の各部が実行する処理を制御する。なお、ユーザは、テレビジョン受像機２１に設けられた図示せぬ操作部を操作することにより、システムコントローラ６１に操作入力信号を入力することもできる。
【００４１】
システムコントローラ６１は、デジタルインターフェイス部６９を介して、記録装置２の処理を制御する各種の制御信号を記録装置２に送信したり、記録装置２から各種の制御信号を受信したりする。また、システムコントローラ６１は、記録装置３の処理を制御する各種の赤外線の制御信号を、IRインターフェイス５３を介して、記録装置３の図示せぬIR受信部に送信する。
【００４２】
チューナ部６２は、チューナ６２−１乃至６２−６により構成される。チューナ６２−１および６２−２は地上アナログ放送用のチューナであり、チューナ６２−３および６２−４は地上デジタル放送用のチューナであり、チューナ６２−５および６２−６は衛星デジタル放送用のチューナである。すなわち、各放送波に対して、チューナがそれぞれ２つずつ設けられている。
【００４３】
チューナ６２−１および６２−２は、それぞれ、アンテナ１２を介して、システムコントローラ６１により指定されたチャンネルの地上アナログ放送波を受信し、受信した地上アナログ放送波をアナログ信号処理部６３に供給する。
【００４４】
チューナ６２−３および６２−４は、それぞれ、アンテナ１３を介して受信した地上デジタル放送波から、システムコントローラ６１により指定されたチャンネルに対応する放送信号を抽出して、復調し、トランスポートストリームを得て、デスクランブラ６４に供給する。
【００４５】
チューナ６２−５および６２−６は、それぞれ、アンテナ１４を介して受信した衛星デジタル放送波から、システムコントローラ６１により指定されたチャンネルに対応する放送信号を抽出して、復調し、トランスポートストリームを得て、デスクランブラ６４に供給する。
【００４６】
アナログ信号処理部６３は、システムコントローラ６１の制御の基に、チューナ６２−１または６２−２から供給された地上デジタル放送波から、アナログの表示装置に映像を表示させるための映像信号、および、アナログのスピーカから音声を出力させるための音声信号を生成する。アナログ信号処理部６３は、生成した音声信号を音声切換部６８に供給する。アナログ信号処理部６３は、チューナ６２−２により受信された地上アナログ放送波に基づく映像信号および音声信号をアナログ信号出力部７０に供給する。
【００４７】
また、アナログ信号処理部６３は、システムコントローラ６１の制御の基に、アナログの映像信号を表示部３１に表示させるためのデジタルの映像データに変換し、変換した映像データを画像処理部６７に供給する。
【００４８】
デスクランブラ６４は、システムコントローラ６１の制御の基に、チューナ６２−３乃至６２−６から供給されるトランスポートストリームのスクランブルを適宜解除して、デマルチプレクサ６５に供給する。
【００４９】
デマルチプレクサ６５は、システムコントローラ６１の制御の基に、デスクランブラ６４から供給されたトランスポートストリームを、映像ストリーム、音声ストリーム、および、セクションデータに分離する。デマルチプレクサ６５は、分離した映像ストリームおよび音声ストリームを、デコーダ６６に供給する。また、デマルチプレクサ６５は、システムコントローラ６１の制御の基に、チューナ６２−４または６２−６から供給されたトランスポートストリームから分離した映像ストリームおよび音声ストリームをデジタルインターフェイス部６９に供給する。
【００５０】
さらに、デマルチプレクサ６５は、システムコントローラ６１の制御の基に、システムコントローラ６１が必要とするセクションデータをシステムコントローラ６１に供給する。セクションデータは、データ放送やデータのダウンロードで利用されるDSM-CC（Digital Storage Media Command and Control）セクション、ダウンロード告知情報（SDTT（Software Download Trigger Table））、およびEPG（Electronic Program Guide）情報などを含む。
【００５１】
デコーダ６６は、システムコントローラ６１の制御の基に、デマルチプレクサ６５から供給された映像ストリームおよび音声ストリームをデコードし、デコードした映像データを画像処理部６７に供給する。また、デコーダ６６は、システムコントローラ６１の制御の基に、デコードした音声データをアナログの音声信号に変換し、音声切換部６８に供給する。
【００５２】
さらに、デコーダ６６は、システムコントローラ６１の制御の基に、チューナ６２−４または６２−６から供給されたトランスポートストリームから生成された映像データを、アナログの映像信号に変換し、アナログ信号出力部７０に供給する。また、デコーダ６６は、システムコントローラ６１の制御の基に、チューナ６２−４または６２−６から供給されたトランスポートストリームから生成されたアナログの音声信号をアナログ信号出力部７０に供給する。
【００５３】
従って、デジタルインターフェイス部６９には、チューナ６２−４により受信された地上デジタル放送波に基づく映像ストリームおよび音声ストリーム、または、チューナ６２−６により受信された衛星デジタル放送波に基づく映像ストリームおよび音声ストリームが供給される。また、アナログ信号出力部７０には、チューナ６２−２により受信された地上アナログ放送波に基づく映像信号および音声信号、チューナ６２−４により受信された地上デジタル放送波に基づく映像信号および音声信号、並びに、チューナ６２−６により受信された衛星デジタル放送波に基づく映像信号および音声信号が供給される
【００５４】
画像処理部６７は、例えば、CPU、MPU、DSP（Digital Signal Processor）、ROM、RAM、不揮発性メモリ（例えば、EEPROM）などからなる。画像処理部６７は、図４を参照して後述するように、システムコントローラ６１の制御の基に、アナログ信号処理部６３およびデコーダ６６から供給された映像データの中から、ユーザからの指示などに基づいて、システムコントローラ６１から指定された番組（チャンネル）の映像データを選択し、選択した映像データに基づいて、表示部３１に表示させる画像の画像データを１フレームごとに生成する。画像処理部６７は、生成した画像データを表示部３１に供給し、表示部３１に画像データに基づく画像を表示させる。
【００５５】
なお、ここでいう画像データとは映像データの１フレーム分のデータのことを指す。以下、同様に、映像データの１フレーム分のデータを適宜画像データと称する。
【００５６】
音声切換部６８は、システムコントローラ６１の制御の基に、アナログ信号処理部６３およびデコーダ６６から供給された音声信号の中から、ユーザからの指示などに基づいて、システムコントローラ６１から指定された番組（チャンネル）の音声信号を選択し、選択した音声信号をスピーカ５２に供給し、音声信号に基づく音声をスピーカ５２から出力させる。
【００５７】
デジタルインターフェイス部６９には、必要に応じて、記録装置２が接続される。デジタルインターフェイス部６９は、システムコントローラ６１の制御の基に、例えば、IEEE（Institute of Electrical and Electronic Engineers ）1394の規格に基づいて、記録装置２の処理を制御する各種の制御信号を記録装置２に送信したり、逆に記録装置２から各種の制御信号を受信したりする。
【００５８】
また、デジタルインターフェイス部６９は、システムコントローラ６１の制御の基に、例えば、IEEE1394の規格に基づいて、デマルチプレクサ６５から供給された映像ストリームおよび音声ストリームを記録装置２に出力する。上述したように、デジタルインターフェイス部６９には、チューナ６２−４または６２−６が受信した放送波に基づいた映像ストリームおよび音声ストリームが供給されるため、記録装置２には、地上デジタル放送、または、衛星デジタル放送の映像ストリームおよび音声ストリームが出力される。
【００５９】
例えば、テレビジョン受像機２１は、デジタルインターフェイス部６９を介して記録装置２に制御信号を出力して、記録装置２を制御することにより、デジタルインターフェイス部６９から出力される映像ストリームおよび音声ストリームを記録装置２に記録させることができる。すなわち、テレビジョン受像機２１は、記録装置２に地上デジタル放送または衛星デジタル放送の番組を外部録画させることができる。
【００６０】
アナログ信号出力部７０には、必要に応じて、記録装置３が接続される。アナログ信号出力部７０は、システムコントローラ６１の制御の基に、アナログ信号処理部６３およびデコーダ６６から供給された映像信号および音声信号の中から、ユーザからの指示などに基づいて、システムコントローラ６１から指定された番組（チャンネル）の映像信号および音声信号を選択して、記録装置３に出力する。上述したように、アナログ信号出力部７０には、チューナ６２−２，６２−４，および６２−６が受信した放送波に基づいた映像信号および音声信号が供給されるため、記録装置３には、地上アナログ放送、地上デジタル放送、または、衛星デジタル放送の映像信号および音声信号が出力される。
【００６１】
例えば、テレビジョン受像機２１は、システムコントローラ６１からIRインターフェイス５３を介して、記録装置３の図示せぬIR受信部に赤外線の制御信号を送信して、記録装置３を制御することにより、アナログ信号出力部７０から出力される映像信号および音声信号を記録装置３に記録させることができる。すなわち、テレビジョン受像機２１は、記録装置３に地上アナログ放送、地上デジタル放送または衛星デジタル放送の番組を外部録画させることができる。
【００６２】
図３は、データ処理制御プログラムを実行するシステムコントローラ６１により実現される機能の構成の一例を示すブロック図である。システムコントローラ６１がデータ処理制御プログラムを実行することにより、予約管理部８１、選局制御部８２、表示制御部８３、外部録画制御部８４、および、信号処理制御部８５が実現される。予約管理部８１、選局制御部８２、表示制御部８３、外部録画制御部８４、および、信号処理制御部８５には、ユーザがリモートコマンダ２２を操作することによりIRインターフェイス３２に入力された操作入力信号が、IRインターフェイス３２から供給される。
【００６３】
予約管理部８１は、デジタルインターフェイス部６９に接続されている記録装置２、または、アナログ信号出力部７０に接続されている記録装置３の外部録画の予約（以下、録画予約と称する）を設定する。例えば、ユーザは、リモートコマンダ２２を操作して、表示部３１にEPG情報に基づく番組表を表示させ、番組表の中から録画する番組を予約したり、または、日にち、開始時刻、終了時刻、放送の種類、および、チャンネルを指定することにより、指定した日時に指定したチャンネルで放送される番組の録画を予約したりすることができる。このとき、ユーザは、番組を録画させる記録装置（記録装置２または記録装置３）もあわせて指定する。
【００６４】
予約管理部８１は、ユーザにより設定された録画予約の情報を保持し、デコーダ６６から供給されたセクションデータに含まれるEPG情報などにより、録画予約されている番組の放送時間の変更に関する情報を取得した場合、録画予約の情報を適宜変更する。また、予約管理部８１は、録画予約に基づいて、外部予約録画の開始や終了などを指示する情報（以下、外部予約録画情報と称する）を選局制御部８２、表示制御部８３、および、外部録画制御部８４に供給する。
【００６５】
なお、ユーザは、録画予約だけでなく、視聴中の番組や視聴中の番組の裏番組を、マニュアル操作により記録装置２または３に外部録画させることも可能である。以下、マニュアル操作による外部録画を、外部予約録画に対して、マニュアル録画と称する。
【００６６】
選局制御部８２は、操作入力信号および外部予約録画情報に基づいて、表示部３１に表示したり、記録装置２または３に外部録画させるように指示されたチャンネルを選局するようにチューナ部６２のチューナ６２−１乃至６２−６を制御する。
【００６７】
表示制御部８３は、操作入力信号および外部予約録画情報に基づいて、２画面表示の切換、表示部３１に表示させる放送の種類およびチャンネル、メイン画面およびサブ画面の寸法、映像に重畳させて表示するメニュー画面やガイダンスなどのOSD（On Screen Display）表示の内容など、表示部３１に表示させる表示の内容を示す情報（以下、表示情報と称する）を画像処理部６７に供給する。また、表示制御部８３は、ユーザにより設定された自動録画モニタの設定値を管理する。自動録画モニタとは、外部予約録画が開始された場合、自動的に２画面表示を開始し、外部予約録画している番組の映像を表示部３１に表示させ、外部予約録画が終了された場合、自動的に通常表示に戻す機能である。
【００６８】
また、表示制御部８３は、操作入力信号に基づいて、音声切換部６８を制御して、ユーザにより出力するように指示された放送の種類およびチャンネルの音声信号をスピーカ５２に供給させる。
【００６９】
外部録画制御部８４は、操作入力信号および外部予約録画情報に基づいて、記録装置２または記録装置３の外部録画の実行を制御する。
【００７０】
外部録画制御部８４は、記録装置２に外部録画させる場合、デマルチプレクサ６５を制御して、外部録画する番組を放送するチャンネルの映像ストリームおよび音声ストリームをデジタルインターフェイス部６９に供給させる。また、外部録画制御部８４は、デジタルインターフェイス部６９を制御して、例えば、IEEE１３９４の規格に基づいて、制御信号および外部録画する番組の映像ストリームおよび音声ストリームを記録装置２へ出力させ、その映像ストリームおよび音声ストリームを記録装置２に記録させる。また、外部録画制御部８４は、デジタルインターフェイス部６９が記録装置２から受信した各種の制御信号を取得する。
【００７１】
また、外部録画制御部８４は、記録装置３に外部録画させる場合、アナログ信号出力部７０を制御して、外部録画する番組を放送するチャンネルの映像信号および音声信号を記録装置３に出力させるとともに、IRインターフェイス５３を介して、記録装置３に制御信号を送信し、外部録画する番組の映像信号および音声信号を記録装置３に記録させる。
【００７２】
さらに、外部録画制御部８４は、現在外部録画中であるか否かを示す情報を表示制御部８３に供給する。
【００７３】
信号処理制御部８５は、操作入力信号に基づいて、図２を参照して上述したアナログ信号処理部６３、デスクランブラ６４、デマルチプレクサ６５、および、デコーダ６６の放送波の受信や放送波の信号処理を制御する。
【００７４】
図４は、画像処理制御プログラムを実行する画像処理部６７により実現される機能の構成の一例を示すブロック図である。画像処理部６７が画像処理制御プログラムを実行することにより、画面分割処理部９１、OSD生成部９２、および、OSD合成部９３が実現される。画面分割処理部９１は、さらに、メイン画像データ処理部１０１、サブ画像データ処理部１０２、および、画面合成部１０３により実現される。
【００７５】
メイン画像データ処理部１０１は、チューナ６２−１により受信された地上アナログ放送波に基づく映像データをアナログ信号処理部６３から取得し、チューナ６２−３により受信された地上デジタル放送波に基づく映像データ、および、チューナ６２−５により受信された衛星デジタル放送波に基づく映像データをデコーダ６６から取得する。メイン画像データ処理部１０１は、表示制御部８３から供給された表示情報と、ユーザによりメイン画面に表示するように選局された番組（チャンネル）の映像データに基づいて、ユーザにより指定された寸法の画像データ（以下、メイン画像データと称する）を生成し、画面合成部１０３に供給する。
【００７６】
サブ画像データ処理部１０２は、チューナ６２−２により受信された地上アナログ放送波に基づく映像データをアナログ信号処理部６３から取得し、６２−４により受信された地上デジタル放送波に基づく映像データ、および、６２−６により受信された衛星デジタル放送波に基づく映像データをデコーダ６６から取得する。サブ画像データ処理部１０２は、表示制御部８３から供給された表示情報と、ユーザによりサブ画面に表示するように選局された番組（チャンネル）の映像データに基づいて、ユーザにより指定された寸法の画像データ（以下、サブ画像データと称する）を生成し、画面合成部１０３に供給する。
【００７７】
画面合成部１０３は、表示制御部８３から供給された表示情報に基づいて、メイン画像データ処理部１０１からのメイン画像データと、サブ画像データ処理部１０２からのサブ画像データを処理する。すなわち、画面合成部１０３は、表示情報において通常表示が指定されている場合、表示部３１にメイン画像データのみを表示させる画像データを生成し、表示情報において２画面表示が指定されている場合、メイン画像データおよびサブ画像データを、表示情報において指定された位置に配置した画像データ生成する。画面合成部１０３は、生成した画像データ（以下、合成画像データと称する）をOSD合成部９３に供給する。
【００７８】
OSD生成部９２は、表示制御部８３から供給された表示情報に基づいて、表示部３１に表示させるOSD表示の画像データ（以下、OSD表示データと称する）を生成し、OSD合成部９３に供給する。
【００７９】
OSD合成部９３は、画面合成部１０３から供給された合成画像データに、OSD生成部９２から供給されたOSD表示データを重畳した画像データ（以下、最終画像データと称する）を生成し、最終画像データを表示部３１に供給し、表示部３１に最終画像データに基づく画像を表示させる。
【００８０】
図５は、リモートコマンダ２２の外観の構成の例を示す図である。
【００８１】
消音キー１５１は、スピーカ５２からの音声出力のミュートのオンまたはオフを切り換える場合に操作されるキーである。画面表示キー１５２は、視聴中の番組のチャンネル番号、出力中の音声の種類などの表示のオンまたはオフを切り換える場合に操作されるキーである。音声切換キー１５３は、スピーカ５２から出力される音声の種類（例えば、主音声、副音声など）を切り換える場合に押下されるキーである。電源キー１５４は、テレビジョン受像機２１の電源をオンまたはオフさせる場合に操作されるキーである。
【００８２】
カラーキー１５５は、画面の案内に従って、各種の選択を行なうときに操作されるキーである。
【００８３】
メモリスティックキー１５６は、テレビジョン受像機２１に装着されたメモリスティック（商標）のデータの入出力を行なうときに操作されるキーである。２画面キー１５７は、通常表示と２画面表示を切り換える場合に操作されるキーである。連動データキー１５８は、データ放送の表示のオンまたはオフを切り換える場合に操作されるキーである。戻るキー１５９、１つ前に表示していた画面に戻る場合に操作されるキーである。ツールキー１６０は、ショートカットメニューの表示など、テレビジョン受像機２１の各種ツールを使用する場合に操作されるキーである。番組表キー１６１は、EPG情報に基づく番組表の表示のオンまたはオフを切り換える場合に操作されるキーである。
【００８４】
円形の上下左右決定キー１６２は、例えば、画面上のカーソルを上下左右に移動させたり、選択項目を確定（決定）する場合に操作されるキーである。上下左右決定キー１６２は、外周の上部を押下することにより上キーとして動作し、外周の下部を押下することにより下キーとして動作し、外周の左部を押下することにより左キーとして動作し、外周の右部を押下することにより右キーとして動作し、中央の円部を押下することにより決定キーとして動作する。
【００８５】
地上波キー１６３は、地上アナログ放送または地上デジタル放送を表示させる場合に操作されるキーである。BSキー１６４は、BSデジタル放送を表示する場合に操作されるキーである。CSキー１６５は、CSデジタル放送を表示させる場合に操作されるキーである。１０キーキー１６６は、チャンネル番号の１０の位を入力する場合に操作されるキーである。
【００８６】
BSテンキー１６７は、BSデジタル放送またはCSデジタル放送を視聴中に、チャンネルを選択する場合に操作されるキーである。
【００８７】
メディアキー１６８は、地上アナログ放送、地上デジタル放送、BSデジタル放送、およびCSデジタル放送を順番にトグルで切り換える場合に操作されるキーである。映像キー１６９は、２つ以上の映像が同時に送信される番組を視聴中に、映像を切り換える場合に操作されるキーである。番組説明キー１７０は、番組の説明の表示のオンまたはオフを切り換える場合に操作されるキーである。字幕キー１７１は、字幕の表示のオンまたはオフを切り換える場合に操作されるキーである。
【００８８】
地上波テンキー１７２は、地上アナログ放送または地上デジタル放送を視聴中に、チャンネルを切り換える場合に操作されるキーである。
【００８９】
音量アップキー１７３は、音量を上げる場合に操作されるキーである。音量ダウンキー１７４は、音量を下げる場合に操作されるキーである。チャンネルアップキー１７５は、視聴するチャンネルを昇順に切り換える場合に操作されるキーである。チャンネルダウンキー１７６は、視聴するチャンネルを降順に切り換える場合に操作されるキーである。
【００９０】
ビデオキー１７７、コンポーネントキー１７８、および、AVマルチキー１７９は、各種の外部端子に接続されている映像機器から入力される映像を表示させる場合に操作されるキーである。メモキー１８０は、表示中の映像のフレームを静止させ、静止画面として表示させる場合に操作されるキーである。
【００９１】
次に、図６乃至図８を参照して、表示部３１の表示の例を説明する。
【００９２】
図６は、表示部３１に画面２０１のみ表示されている通常表示の場合の表示の例を示している。右上の表示領域２０２には、設定により、視聴中の番組の放送の種類、チャンネル番号、および、音声の種類が表示される。
【００９３】
図７は、表示部３１にメイン画面２１１およびサブ画面２１２の２画面が同時に表示される２画面表示の場合の表示の例を示している。表示部３１の左側にメイン画面２１１が、表示部３１の右側にサブ画面２１２が、お互い重ならないように、すなわち、お互いの画面に表示される映像を妨げないように配置される。
【００９４】
２画面表示中、リモートコマンダ２２の上下左右決定キー１６２の左キーまたは右キーを押下することにより、リモートコマンダ２２による操作の対象となる画面（以下、操作画面と称する）が切り換わる。なお、スピーカ５２からは、操作画面に表示されている番組の音声が出力される。図７は、メイン画面２１１が操作画面の場合を示しており、左側のメイン画面２１１が操作画面であることを示す「左操作」の文字が左下の表示領域２１３−３に表示されている。右側のサブ画面２１２が操作画面の場合、表示領域２１３−３には「右操作」の文字が表示される。なお、リモートコマンダ２２の上下左右決定キー１６２の上キーまたは下キーを押下することにより、操作の対象となっていない画面（図７の場合、サブ画面２１２）に表示させるチャンネルを選局することができる。
【００９５】
メイン画面２１１が操作画面の場合、上下左右決定キー１６２の左キーを押下することにより、メイン画面２１１の寸法が拡大され、それに合わせて、サブ画面２１２の寸法が縮小される。また、サブ画面２１２が操作画面の場合、上下左右決定キー１６２の右キーを押下することにより、サブ画面２１２の寸法が拡大され、それに合わせて、サブ画面２１２−１の寸法が縮小される。
【００９６】
なお、メイン画面２１１が操作画面の場合、上下左右決定キー１６２の右キーを押下し続けると、操作画面がサブ画面２１２に切り換わった後、サブ画面２１２の寸法が拡大され、サブ画面２１２が操作画面の場合、上下左右決定キー１６２の左キーを押下し続けると、操作画面がメイン画面２１１に切り換わった後、メイン画面２１１の寸法が拡大される。
【００９７】
メイン画面２１１の上にある表示領域２１３−１には、メイン画面２１１に表示されている番組の放送の種類およびチャンネル番号が表示される。また、図７に示される例の場合、メイン画面２１１が操作画面であり、メイン画面２１１に表示されている番組の音声がスピーカ５２から出力されているので、表示領域２１３−１には、メイン画面２１１に表示中の番組の音声の種類が表示される。
【００９８】
サブ画面２１２の上にある表示領域２１３−２には、サブ画面２１２に表示されている番組の放送の種類およびチャンネル番号が表示される。また、図７に示される例の場合、サブ画面２１２が操作画面でなく、サブ画面２１２に表示されている番組の音声がスピーカ５２から出力されていないので、表示領域２１３−２には、サブ画面２１２に表示中の番組の音声の種類は表示されない。
【００９９】
表示部３１の下部の領域２１３−４には、簡単な操作のガイダンスが表示される。図７に示される例の場合、リモートコマンダ２２の上下左右決定キー１６２の上キーまたは下キーを押下することにより、操作の対象となっていない右側のサブ画面２１２のチャンネルを選局できること、上下左右決定キー１６２の左キーまたは右キーを押下することによりメイン画面２１１およびサブ画面２１２の拡大または縮小ができること、ツールキー１６０を押下することにより、この画面から操作できる機能の一覧を表示できることを示している。
【０１００】
また、メイン画面２１１には、チューナ６２−１により受信される地上アナログ放送、チューナ６２−３により受信される地上デジタル放送、または、チューナ６２−５により受信される衛星デジタル放送の番組を表示させることができる。サブ画面２１２には、チューナ６２−２により受信される地上アナログ放送、チューナ６２−４により受信される地上デジタル放送、または、チューナ６２−６により受信される衛星デジタル放送の番組を表示させることができる。すなわち、図２を参照して上述したように、各放送波に対して、チューナがそれぞれ２つずつ設けられており、さらに、２つのチューナがメイン画面２１１用とサブ画面２１２用に分かれているため、メイン画面２１１とサブ画面２１２には、それぞれ独立して、任意のチャンネルの番組の映像を表示させることができる。
【０１０１】
図８は、外部予約録画中の２画面表示の例を示している。なお、図中、図７と対応する部分については同じ符号を付してあり、その説明は繰り返しになるので省略する。以下、図７に示される外部録画中でない場合の２画面表示を通常２画面表示と称し、外部録画中の場合（図８に示される外部予約録画中の場合、または、図示せぬマニュアル録画中の場合）の２画面表示を録画中２画面表示と称する。
【０１０２】
外部録画中は、サブ画面２１２に外部録画している番組の映像が表示され、サブ画面２１２のチャンネルの切換はできない。すなわち、サブ画面２１２の表示は、外部録画している番組の映像に固定される。それに合わせて、図７の表示領域２１３−４に表示されていた右側のサブ画面２１２の選局操作に関するガイダンスが、図８の表示領域２１３−４には表示されない。また、外部録画中にサブ画面２１２のチャンネル切換の操作をしようとした場合、図９に示されるように、操作ができないことを示す警告画面２１４が表示される。なお、録画中２画面表示中も、メイン画面２１１のチャンネルの切換は可能である。
【０１０３】
また、図８の右上の領域２１３−５には、サブ画面２１２に表示中の番組、すなわち、外部録画されている番組の放送の種類およびチャンネル番号が表示される。領域２１３−５の左隣の領域２１３−６には、外部録画を実行中であることを示す表示が表示される。これにより、ユーザは、現在外部録画中であることを確実に知ることができる。さらに、外部予約録画中の場合、領域２１３−６の左隣の領域２１３−７には、外部予約録画中であることを示す表示が表示される。これにより、ユーザは、外部予約録画中であることを確実に知ることができる。
【０１０４】
次に、図１０乃至図１５を参照して、テレビジョン受信システム１の処理を説明する。
【０１０５】
まず、図１０のフローチャートを参照して、テレビジョン受信システム１により実行される２画面表示切換処理を説明する。なお、この処理は、例えば、ユーザがリモートコマンダ２２の２画面キー１５７を押下し、リモートコマンダ２２から２画面表示の切換を示す操作入力信号が、テレビジョン受像機２１のIRインターフェイス３２を介してシステムコントローラ６１に入力されたとき開始される。
【０１０６】
ステップＳ１において、システムコントローラ６１の表示制御部８３は、現在２画面表示中であるか否かを判定する。２画面表示中であると判定された場合、すなわち、通常２画面表示中または録画中２画面表示中の場合、処理はステップＳ２に進む。
【０１０７】
ステップＳ２において、テレビジョン受像機２１は、通常表示を開始し、２画面表示切換処理は終了する。具体的には、表示制御部８３は、通常表示を開始し、２画面表示のメイン画面２１１に表示している番組の映像のみを表示する指示を示す表示情報を、画像処理部６７に供給する。
【０１０８】
メイン画像データ処理部１０１は、表示情報に基づいて、現在、画面合成部１０３に供給しているメイン画像データの寸法を図６の画面２０１と同じ寸法に変更する。画面合成部１０３は、メイン画像データ処理部１０１から供給されるメイン画像データとサブ画像データ処理部１０２から供給されるサブ画像データとの合成を中止し、メイン画像データのみを合成画像データとしてOSD合成部９３へ供給することを開始する。OSD生成部９２は、表示情報に基づいて、図６の表示領域２０２に表示させるOSD表示データの生成およびOSD合成部９３への供給を開始する。
【０１０９】
OSD合成部９３は、合成画像データにOSD表示データを重畳した最終画像データの表示部３１への供給を開始し、表示部３１に最終画像データに基づく画像の表示、すなわち、図６に示される通常表示を開始させる。これにより、２画面表示のメイン画面２１１に表示されていた番組の映像が通常表示の画面２０１に表示される。音声切換部６８は、表示制御部８３の制御の基に、アナログ信号処理部６３およびデコーダ６６から供給される音声信号のうち画面２０１に表示されるチャンネルの音声信号のスピーカ５２への供給を開始し、スピーカ５２から音声信号に基づく音声、すなわち、画面２０１に表示中の番組の音声を出力させる。
【０１１０】
ステップＳ１において、２画面表示中でない、すなわち、通常表示中であると判定された場合、処理はステップＳ３に進む。
【０１１１】
ステップＳ３において、外部録画制御部８４は、外部録画を実行中であるか否かを判定する。外部録画を実行中でないと判定された場合、処理はステップＳ４に進む。
【０１１２】
ステップＳ４において、テレビジョン受像機２１は、通常２画面表示を開始し、２画面表示切換処理は終了する。具体的には、まず、外部録画制御部８４は、外部録画を実行中でない旨を示す情報を表示制御部８３に供給する。
【０１１３】
表示制御部８３は、２画面表示の開始の指示、メイン画面２１１およびサブ画面２１２に表示させるチャンネル、メイン画面２１１およびサブ画面２１２の寸法、OSD表示の内容を含む表示情報を画像処理部６７に供給する。このとき、メイン画面２１１に表示させるチャンネルには、現在視聴中のチャンネル、すなわち、通常表示の画面２０１に表示中のチャンネルが指定され、サブ画面２１２に表示させるチャンネルには、前回、２画面表示したときにサブ画面２１２に表示されていたチャンネルが指定される。
【０１１４】
メイン画像データ処理部１０１は、表示情報に基づいて、現在、画面合成部１０３に供給しているメイン画像データの寸法を、表示情報により示される寸法に変更する。サブ画像データ処理部１０２は、表示情報に基づいて、アナログ信号処理部６３およびデコーダ６６から供給される映像データのうちサブ画面２１２に表示するチャンネルの映像データを選択して、その映像データに基づいて、表示情報により示される寸法のサブ画像データを生成し、生成したサブ画像データの画面合成部１０３への供給を開始する。画面合成部１０３は、表示情報に基づいて、メイン画像データおよびサブ画像データを表示情報により示される位置に配置した合成画像データを生成し、生成した合成画像データのOSD合成部９３への供給を開始する。
【０１１５】
OSD生成部９２は、表示情報に基づいて、図７の表示領域２１３−１乃至２１３−４に表示させるOSD表示データを生成し、生成したOSD表示データのOSD合成部９３への供給を開始する。OSD合成部９３は、合成画像データにOSD表示データを重畳した最終画像データの表示部３１への供給を開始し、表示部３１に最終画像データに基づく画像の表示、すなわち、図７に示される通常２画面表示を開始させる。これにより、通常表示の画面２０１に表示されていた番組の映像が、継続して2画面表示のメイン画面２１１に表示され、前回２画面表示したときに表示されていたチャンネルの映像がサブ画面２１２に表示される。
【０１１６】
音声切換部６８は、表示制御部８３の制御の基に、アナログ信号処理部６３およびデコーダ６６から供給される音声信号のうちメイン画面２１１に表示されるチャンネルの音声信号のスピーカ５２への供給を開始し、スピーカ５２から音声信号に基づく音声、すなわち、メイン画面２１１に表示中の番組の音声を出力させる。
【０１１７】
ステップＳ３において、外部録画を実行中であると判定された場合、処理はステップＳ５に進む。
【０１１８】
ステップＳ５において、テレビジョン受像機２１は、録画中２画面表示を開始し、２画面表示切換処理は終了する。具体的には、まず、外部録画制御部８４は、外部録画をしている番組のチャンネルを示す情報を表示制御部８３に供給する。
【０１１９】
表示制御部８３は、２画面表示の開始の指示、メイン画面２１１およびサブ画面２１２に表示させるチャンネル、メイン画面２１１およびサブ画面２１２の寸法、OSD表示の内容を含む表示情報を、画像処理部６７に供給する。このとき、メイン画面２１１に表示させるチャンネルには、現在視聴中のチャンネル、すなわち、通常表示の画面２０１に表示中のチャンネルが指定され、サブ画面２１２に表示させるチャンネルには、外部録画をしている番組のチャンネルが指定される。
【０１２０】
メイン画像データ処理部１０１は、表示情報に基づいて、現在、画面合成部１０３に供給しているメイン画像データの寸法を、表示情報により示される寸法に変更する。サブ画像データ処理部１０２は、表示情報に基づいて、アナログ信号処理部６３およびデコーダ６６から供給される映像データのうち外部録画されている番組（チャンネル）の映像データを選択して、その映像データに基づいて、表示情報により示される寸法のサブ画像データを生成し、生成したサブ画像データの画面合成部１０３への供給を開始する。画面合成部１０３は、表示情報に基づいて、メイン画像データおよびサブ画像データを表示情報により示される位置に配置した合成画像データを生成し、生成した合成画像データのOSD合成部９３への供給を開始する。
【０１２１】
OSD生成部９２は、表示情報に基づいて、図８の表示領域２１３−１および２１３−３乃至２１３−７に表示させるOSD表示データを生成し、生成したOSD表示データのOSD合成部９３への供給を開始する。OSD合成部９３は、合成画像データにOSD表示データを重畳した最終画像データの表示部３１への供給を開始し、表示部３１に最終画像データに基づく画像の表示、すなわち、図８に示される録画中２画面表示を開始させる。これにより、通常表示の画面２０１に表示されていた番組の映像が継続して2画面表示のメイン画面２１１に表示されるとともに、外部録画している番組の映像がサブ画面２１２に表示される。すなわち、通常表示において表示していた番組の映像と外部録画している番組の映像が表示部３１に同時に表示される。
【０１２２】
音声切換部６８は、表示制御部８３の制御の基に、アナログ信号処理部６３およびデコーダ６６から供給される音声信号のうちメイン画面２１１に表示されるチャンネルの音声信号のスピーカ５２への供給を開始し、スピーカ５２から音声信号に基づく音声、すなわち、メイン画面２１１に表示中の番組の音声を出力させる。
【０１２３】
このようにして、外部録画中の場合、リモートコマンダ２２の２画面キー１５２を押下して、２画面表示させるだけで、通常表示において表示中の番組の映像を表示したまま、外部録画中の番組の映像を表示することができる。従って、ユーザは、現在視聴中の番組の視聴が妨げられることなく、任意のタイミングで、任意の時間の間、録画予約またはマニュアル録画により外部録画している番組の映像を簡単かつ確実に確認することができる。
【０１２４】
なお、リモートコマンダ２２の２画面キー１５７を押下する以外にも、例えば、リモートコマンダ２２のツールキー１６０を押下して、図１１に示されるように、表示部３１にメニュー画面２１５を表示させた後、「２画面」の項目を選択して、上下左右決定キー１６２の決定キーを押下することにより、２画面表示の切換を実行させることも可能である。
【０１２５】
次に、図１２のフローチャートを参照して、テレビジョン受信システム１により実行される外部予約録画開始処理を説明する。なお、この処理は、例えば、録画予約が設定されている場合に、録画予約の開始時刻の所定の時間（例えば、数10秒）前の時刻になったとき、開始される。
【０１２６】
ステップＳ２１において、予約管理部８１は、外部予約録画する番組の放送時間が変更されているか否かを判定する。予約管理部８１が、デコーダ６６から事前に供給されたセクションデータに含まれるEPG情報などに基づいて、外部予約録画する番組の放送時間が変更されていると判定した場合、処理はステップＳ２２に進む。
【０１２７】
ステップＳ２２において、予約管理部８１は、EPG情報などに基づいて、外部予約録画する番組の放送がすでに終了しているか否かを判定する。外部予約録画する番組の放送がまだ終了していないと判定された場合、処理はステップＳ２３に進む。
【０１２８】
ステップＳ２３において、予約管理部８１は、EPG情報などに基づいて、放送時間が変更された番組の録画予約の内容を変更する。
【０１２９】
ステップＳ２４において、予約管理部８１は、EPG情報などに基づいて、外部予約録画する番組の開始時刻が予定より遅くなっているか否かを判定する。外部予約録画する番組の開始時刻が予定より遅くなっていないと判定された場合、すなわち、外部予約録画する番組が予定どおりに開始されるか、または、外部予約録画する番組の開始時刻が予定より早くなっており、すでに外部予約録画する番組の放送が始まっている場合、処理はステップＳ２５に進む。
【０１３０】
ステップＳ２１において、外部予約録画する番組の放送時間が変更されていないと判定された場合、ステップＳ２２乃至Ｓ２４の処理はスキップされ、処理はステップＳ２５に進む。
【０１３１】
ステップＳ２５において、画像処理部６７は、表示部３１に外部予約録画開始通知画面を表示させる。具体的には、予約管理部８１は、録画予約の開始時刻の所定の時間前になったことを示す外部予約録画情報を表示制御部８３に供給する。表示制御部８３は、外部予約録画開始通知画面の表示を指示する表示情報を画像処理部６７に供給する。OSD生成部９２は、図１３または図１４に示される通知画面２１６を表示させるためのOSD表示データを生成し、OSD合成部９３へ供給する。
【０１３２】
OSD合成部９３は、画面合成部１０３から供給される合成画像データに、通知画面２１６を表示させるためのOSD表示データを重畳した最終画面データを生成する。OSD合成部９３は、最終画面データを表示部３１に供給し、外部予約録画開始通知画面、すなわち、通常表示中の場合、図１３に示されるように、通常表示に通知画面２１６を重畳させた画面を表示部３１に表示させ、通常２画面表示中の場合、図１４に示されるように、通常２画面表示に通知画面２１６を重畳させた画面を表示部３１に表示させる。
【０１３３】
図１２に戻り、ステップＳ２６において、予約管理部８１は、録画予約の開始時刻になっているか否かを判定する。ステップＳ２６の判定処理は、録画予約の開始時刻になっていると判定されるまで繰り返され、録画予約の開始時刻になっていると判定された場合、処理はステップＳ２７に進む。
【０１３４】
ステップＳ２７において、テレビジョン受像機２１は、外部予約録画開始処理を行なう。具体的には、予約管理部８１は、外部予約録画する番組（チャンネル）および外部予約録画の開始を示す外部予約録画情報を選局制御部８２および表示制御部８３に供給する。
【０１３５】
選局制御部８２は、外部予約録画する番組が地上アナログ放送の番組の場合、チューナ６２−２に外部予約録画するチャンネルの地上アナログ放送波の受信を開始させ、外部予約録画する番組が地上デジタル放送の番組の場合、チューナ６２−４に外部予約録画する地上デジタル放送波のチャンネルに基づくトランスポートストリームの出力を開始させ、外部予約録画する番組が衛星デジタル放送の番組の場合、チューナ６２−６に外部予約録画する衛星デジタル放送波のチャンネルに基づくトランスポートストリームの出力を開始させる。
【０１３６】
デジタルインターフェイス部６９に接続された記録装置２に外部予約録画させる場合、デコーダ６６は、外部録画制御部８４の制御の基に、外部予約録画する番組（チャンネル）の映像ストリームおよび音声ストリームのデジタルインターフェイス部６９への供給を開始する。すなわち、外部予約録画する番組が地上デジタル放送の番組の場合、チューナ６２−４により受信された地上デジタル放送波に基づく映像ストリームおよび音声ストリームの供給が開始され、外部予約録画する番組が衛星デジタル放送の番組の場合、チューナ６２−６により受信された衛星デジタル放送波に基づく映像ストリームおよび音声ストリームの供給が開始される。
【０１３７】
デジタルインターフェイス部６９は、外部録画制御部８４の制御の基に、録画の開始を指示する制御信号を記録装置２に送信するとともに、外部予約録画する番組の映像ストリームおよび音声ストリームの記録装置２への出力を開始する。これにより、記録装置２において、ユーザが録画予約した番組の録画が開始される。
【０１３８】
アナログ信号出力部７０に接続された記録装置３に外部予約録画させる場合、アナログ信号出力部７０は、外部録画制御部８４の制御の基に、外部予約録画する番組の映像信号および音声信号の記録装置３への出力を開始する。そして、外部録画制御部８４は、IRインターフェイス５３を介して、録画の開始を指示する制御信号を記録装置３に出力する。これにより、記録装置３において、録画予約した番組の録画が開始される。
【０１３９】
なお、外部予約録画する番組の開始時刻が予定より早まり、すでに放送が始まっている場合、録画予約した時刻に番組の途中から外部予約録画が開始される。
【０１４０】
ステップＳ２８において、表示制御部８３は、現在、通常２画面表示中であるか否かを判定する。通常２画面表示中であると判定された場合、処理はステップＳ２９に進む。
【０１４１】
ステップＳ２９において、図１０のステップＳ５と処理と同様に、録画中２画面表示が開始され、外部予約録画開始処理は終了する。すなわち、外部予約録画の開始に伴い、図７に示される通常２画面表示から、図８に示される録画中２画面表示に表示部３１の表示が切り換わり、サブ画面２１２において、自動的に外部予約録画中の番組の映像の表示が開始される。
【０１４２】
ステップＳ２８において、通常２画面表示中でない、すなわち、通常表示中であると判定された場合、処理はステップＳ３０に進む。
【０１４３】
ステップＳ３０において、表示制御部８３は、自動録画モニタがオンに設定されているか否かを判定する。自動録画モニタがオンに設定されていると判定された場合、処理はステップＳ３１に進む。
【０１４４】
ステップＳ３１において、図１０のステップＳ５と同様の処理により、録画中２画面表示が開始され、外部予約録画開始処理は終了する。すなわち、外部予約録画の開始に伴い、図６に示される通常表示から、図８に示される録画中２画面表示に表示部３１の表示が切り換わり、メイン画面２１１において、それまで視聴中だった番組の映像の表示が継続され、サブ画面２１２において、自動的に外部予約録画中の番組の映像の表示が開始される。すなわち、メイン画面２１１とサブ画面２１２の２つの画面のうちサブ画面２１２の映像が外部録画中の番組に切り換わる。
【０１４５】
ステップＳ３０において、自動録画モニタがオフに設定されていると判定された場合、表示部３１の表示は変更されずに、通常表示が継続されたまま、外部予約録画開始処理は終了する。
【０１４６】
ステップＳ２４において、外部予約録画する番組の開始時刻が予定より遅くなっていると判定された場合、外部予約録画開始処理は終了する。その後、放送時間が変更された番組の開始時刻の所定の時間前になったとき、再度、外部予約録画開始処理が実行される。
【０１４７】
ステップＳ２２において、外部予約録画する番組の放送が中止された場合を含め、外部予約録画する番組の放送が終了していると判定された場合、処理はステップＳ３２に進む。
【０１４８】
ステップＳ３２において、予約管理部８１は、今回の処理で外部予約録画する予定だった番組の録画予約を取り消し、外部予約録画開始処理は終了する。
【０１４９】
このように、自動録画モニタがオンに設定されている場合、または、通常２画面表示中の場合、外部予約録画の開始に伴い、自動的に外部予約録画する番組の表示が開始されるので、ユーザは、簡単かつ確実に外部予約録画している番組の映像を確認することができ、外部予約録画が確実に実行されているか否かを確認することができる。なお、自動録画モニタがオンに設定されていない場合でも、図１０を参照して上述したように、２画面表示に切り換えることにより、簡単かつ確実に外部予約録画している番組の映像を確認することができる。
【０１５０】
次に、図１５のフローチャートを参照して、テレビジョン受信システム１により実行される外部予約録画終了処理を説明する。なお、この処理は、外部予約録画中に、録画予約の終了時刻になったとき開始される。
【０１５１】
ステップＳ５１において、予約管理部８１は、外部予約録画中の番組の終了時刻が予定より遅くなっているか否かを判定する。予約管理部８１が、デコーダ６６から事前に供給されたセクションデータに含まれるEPG情報などに基づいて、外部予約録画中の番組の終了時刻が予定より遅くなっていないと判定した場合、処理はステップＳ５２に進む。
【０１５２】
ステップＳ５２において、テレビジョン受像機２１は、外部予約録画終了処理を行なう。具体的には、予約管理部８１は、外部予約録画の終了を示す外部予約録画情報を表示制御部８３および外部録画制御部８４に供給する。
【０１５３】
デジタルインターフェイス部６９に接続された記録装置２において外部予約録画中の場合、デジタルインターフェイス部６９は、外部録画制御部８４の制御の基に、録画の終了を指示する制御信号を記録装置２に送信するとともに、映像ストリームおよび音声ストリームの記録装置２への出力を停止する。これにより、記録装置２の外部予約録画が停止される。デコーダ６６は、外部録画制御部８４の制御の基に、映像ストリームおよび音声ストリームのデジタルインターフェイス部６９への供給を停止する。
【０１５４】
アナログ信号出力部７０に接続された記録装置３において外部予約録画中の場合、外部録画制御部８４は、IRインターフェイス５３を介して、録画の終了を指示する制御信号を記録装置３に出力する。アナログ信号出力部７０は、外部録画制御部８４の制御の基に、映像信号および音声信号の記録装置３への出力を停止する。これにより、記録装置３の外部予約録画が停止される。
【０１５５】
ステップＳ５３において、表示制御部８３は、録画中２画面表示中であるか否かを判定する。録画中２画面表示中であると判定された場合、処理はステップＳ５４に進む。
【０１５６】
ステップＳ５４において、図１２のステップＳ３０の処理と同様に、表示制御部８３は、自動録画モニタがオンに設定されているか否かを判定する。自動録画モニタがオンに設定されていると判定された場合、処理はステップＳ５５に進む。
【０１５７】
ステップＳ５５において、図１０のステップＳ２の処理と同様に、通常表示が開始され、外部予約録画終了処理は終了する。すなわち、外部予約録画の終了に伴い、図８に示される録画中２画面表示から、図６に示される通常表示に表示部３１の表示が切り換わる。従って、自動録画モニタがオンに設定されている場合、外部予約録画の開始に伴い、自動的に録画中２画面表示が開始され、外部予約録画の終了に伴い、自動的に録画中２画面表示が終了されるので、ユーザは、簡単かつ確実に、外部予約録画の開始および終了を知ることができるとともに、外部予約録画されている番組の映像を確認することができる。
【０１５８】
ステップＳ５４において、自動録画モニタがオフに設定されていると判定された場合、処理はステップＳ５６に進む。
【０１５９】
ステップＳ５６において、図１０のステップＳ４の処理と同様に、通常２画面表示が開始され、外部予約録画終了処理は終了する。すなわち、外部予約録画の終了に伴い、図８に示される録画中２画面表示から、図７に示される通常２画面表示に切り換わり、簡単かつ確実に外部予約録画の終了を知ることができる。なお、このとき、サブ画面２１２には、外部予約録画していたチャンネルの映像の表示が継続される。
【０１６０】
ステップＳ５３において、録画中２画面表示中でない、すなわち、通常表示中であると判定された場合、通常表示が継続されたまま、外部予約録画終了処理は終了する。
【０１６１】
ステップＳ５１において、外部予約録画中の番組の終了時刻が予定より遅くなっていると判定された場合、処理はステップＳ５７に進む。
【０１６２】
ステップＳ５７において、予約管理部８１は、録画予約の終了時刻を変更して、外部予約録画終了処理は終了する。その後、変更した録画予約の終了時刻になったとき、再度外部予約録画終了処理が実行される。なお、この場合、2画面表示に切り換えることにより、図８に示される領域２１３−６および２１３−７のOSD表示を伴う録画中２画面表示が表示されるので、ユーザは、外部予約録画が延長されていることを簡単かつ確実に知ることができる。
【０１６３】
このように、自動録画モニタがオンに設定されている場合、外部予約録画の終了に伴い、自動的に通常表示に戻るので、外部予約録画が終了したことを簡単かつ確実に知ることができるとともに、通常表示に戻す手間を省くことができる。また、自動録画モニタがオフになっている場合、録画中２画面表示中のとき、外部予約録画の終了に伴い、通常２画面表示に戻るので、外部予約録画が終了したことを簡単かつ確実に知ることができる。
【０１６４】
以上のように、チューナにより受信した放送波に基づく映像データを表示制御装置に接続されている記録装置に出力し、記録装置における映像データの録画を制御し、記録装置が映像データを録画している場合、１画面表示から複数画面表示に切り換えたとき、少なくとも１画面表示中に表示していた番組の映像と映像データに基づく映像とを同時に表示するように表示部の表示を制御した場合には、記録装置に録画させている映像データに基づく映像を確認することができる。また、視聴中の番組の表示を妨げることなく、記録装置に録画させている映像データに基づく映像を簡単かつ確実に確認することができる。
【０１６５】
なお、以上の説明では、表示部３１にメイン画面２１１およびサブ画面２１２の２つの番組の映像を同時に表示する例を示したが、本発明は、３つ以上の番組の映像を同時に表示する場合にも適用することができる。
【０１６６】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【０１６７】
図１６は、汎用のパーソナルコンピュータ５００の内部の構成例を示す図である。CPU（Central Processing Unit）５０１は、ROM（Read Only Memory）５０２に記憶されているプログラム、または記録部５０８からRAM（Random Access Memory）５０３にロードされたプログラムに従って各種の処理を実行する。RAM５０３にはまた、CPU５０１が各種の処理を実行する上において必要なデータなども適宜記憶される。
【０１６８】
CPU５０１、ROM５０２、およびRAM５０３は、バス５０４を介して相互に接続されている。このバス５０４にはまた、入出力インターフェイス５０５も接続されている。
【０１６９】
入出力インターフェイス５０５には、ボタン、スイッチ、キーボードあるいはマウスなどで構成される入力部５０６、CRT（Cathode Ray Tube）やLCD（Liquid Crystal Display）などのディスプレイ、並びにスピーカなどで構成される出力部５０７、ハードディスクなどで構成される記録部５０８、およびモデムやターミナルアダプタなどで構成される通信部５０９が接続されている。通信部５０９は、インターネットを含むネットワークを介して通信処理を行う。
【０１７０】
入出力インターフェイス５０５にはまた、必要に応じてドライブ５１０が接続され、磁気ディスク、光ディスク、光磁気ディスク、あるいは半導体メモリなどよりなるリムーバブルメディア５１１が適宜装着され、そこから読み出されたコンピュータプログラムが、記録部５０８にインストールされる。
【０１７１】
コンピュータにインストールされ、コンピュータによって実行可能な状態とされるプログラムを記録する記録媒体は、図１６に示されるように、装置本体とは別に、ユーザにプログラムを提供するために配布される、プログラムが記録されている磁気ディスク（フレキシブルディスクを含む）、光ディスク（CD-ROM（Compact Disc-Read Only Memory）、DVD(Digital Versatile Disc)を含む）、光磁気ディスク（MD(Mini-Disc)（登録商標）を含む）、もしくは半導体メモリなどよりなるリムーバブルメディア５１１により構成されるだけでなく、装置本体にあらかじめ組み込まれた状態でユーザに提供される、プログラムが記録されているROM５０３または記録部５０８に含まれるハードディスクなどで構成される。
【０１７２】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１７３】
また、本明細書において、システムの用語は、複数の装置、手段などにより構成される全体的な装置を意味するものである。
【図面の簡単な説明】
【０１７４】
【図１】本発明を適用したテレビジョン受信システムの一実施の形態を示す図である。
【図２】図１のテレビジョン受像機の構成の例を示すブロック図である。
【図３】図２のシステムコントローラにより実現される機能の構成の例を示すブロック図である。
【図４】図２の画像処理部により実現される機能の構成の例を示すブロック図である。
【図５】図１のリモートコマンダの外観の構成の例を示す平面図である。
【図６】図１の表示部の通常表示中の表示の例を示す図である。
【図７】図１の表示部の通常２画面表示中の表示の例を示す図である。
【図８】図１の表示部の録画中２画面表示中の表示の例を示す図である。
【図９】外部録画中にサブ画面のチャンネルを切り換えようとした場合に表示部に表示される表示の例を示す図である。
【図１０】図１のテレビジョン受信システムの２画面表示切換処理を説明するフローチャートである。
【図１１】２画面表示の切換操作を行なう場合に表示部に表示される表示の例を示す図である。
【図１２】図１のテレビジョン受信システムの外部予約録画開始処理を説明するフローチャートである。
【図１３】通常表示中の外部予約録画通知画面の例を示す図である。
【図１４】２画面表示中の外部予約録画通知画面の例を示す図である。
【図１５】図１のテレビジョン受信システムの外部予約録画終了処理を説明するフローチャートである。
【図１６】パーソナルコンピュータの構成例を示すブロック図である。
【符号の説明】
【０１７５】
１  テレビジョン受信システム，  ２  記録装置，  ３  記録装置，  １１  テレビジョン受信装置，  １２乃至１４  アンテナ，  ２１  テレビジョン受像機，  ２２  リモートコマンダ，  ３１  表示部，  ３２  IRインターフェイス，  ５１  データ処理部，  ５３  IRインターフェイス，  ６１  システムコントローラ，  ６２  チューナ部，  ６３  アナログ信号処理部，  ６４  デスクランブラ，  ６５  デマルチプレクサ，  ６６  デコーダ，  ６７  画像処理部，  ６９  デジタルインターフェイス部，  ７０  アナログ信号出力部，  ８１  予約管理部，  ８２  選局制御部，  ８３  表示制御部，  ８４  外部録画制御部，  ９１  画面分割処理部，  ９２  OSD生成部，  ９３  OSD合成部，  １０１  メイン画像データ処理部，  １０２  サブ画像データ処理部，  １０３  画面合成部，  ２０１  画面，  ２１１  メイン画面，  ２１２  サブ画面，  ５０１  CPU，  ５０２  ROM，  ５０３  RAM，  ５０８  記録部，  ５１０  ドライブ，  ５２１  リムーバブルメディア
【図１】
2006060414.tif 000003
【図２】
2006060414.tif 000004
【図３】
2006060414.tif 000005
【図４】
2006060414.tif 000006
【図５】
2006060414.tif 000007
【図６】
2006060414.tif 000008
【図７】
2006060414.tif 000009
【図８】
2006060414.tif 000010
【図９】
2006060414.tif 000011
【図１０】
2006060414.tif 000012
【図１１】
2006060414.tif 000013
【図１２】
2006060414.tif 000014
【図１３】
2006060414.tif 000015
【図１４】
2006060414.tif 000016
【図１５】
2006060414.tif 000017
【図１６】
2006060414.tif 000018